【事件の表示】
　特許第２９３９２０７号「レンチキュラーレンズシート、ディスプレイ用前面板及び透過型スクリーン」の特許に対する特許異議の申立てについて、次のとおり決定する。
【結　論】
　訂正を認める。
　特許第２９３９２０７号の請求項１ないし１４に係る特許を維持する。
【理　由】
（１）手続きの経緯      
　本件特許第２９３９２０７号発明は、平成９年６月２６日に出願され、平成１１年６月１１日にその発明の特許がなされ、その後、村岡　宏より特許異議の申立てがなされ、取消理由通知がなされ、その指定期間内である平成１２年７月１４日に訂正請求がなされたものである。
（２）訂正の適否についての判断
ア．特許請求の範囲の訂正
ａ、訂正明細書の請求項１に係る発明
　訂正明細書の請求項１に係る発明は、特許請求の範囲に特定された、次のとおりのものである。
「【請求項１】基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、前記レンズ部のレンズピッチを０.４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０.０５〜１.０倍であり、その厚さがシート厚の１/２以下であることを特徴とするレンチキュラーレンズシート。」
ｂ、訂正明細書の請求項３に係る発明
　訂正明細書の請求項３に係る発明は、特許請求の範囲に特定された、次のとおりのものである。
「【請求項３】請求項１又は請求項２に記載のレンチキュラーレンズシートにおいて、前記レンズ部は、前記レンチキュラーレンズ形状が断面略楕円形であり、その横径をａ、縦径をｂとしたときに、そのレンチキュラーレンズ形状の頂部における前記着色層の厚さｔ１が、ほぼｔ１＝ｂ−ｂ２/（ａ２＋ｂ２）１/２の式で表されることを特徴とするレンチキュラーレンズシート。」
ｃ、訂正明細書の請求項４に係る発明
　訂正明細書の請求項４に係る発明は、特許請求の範囲に特定された、次のとおりのものである。
「【請求項４】請求項１から請求項３のいずれか１項に記載のレンチキュラーレンズシートにおいて、少なくとも前記着色層は、拡散剤が添加されていることを特徴とするレンチキュラーレンズシート。」
ｄ、訂正明細書の請求項５に係る発明
　訂正明細書の請求項５に係る発明は、特許請求の範囲に特定された、次のとおりのものである。
「【請求項５】請求項４に記載のレンチキュラーレンズシートにおいて、前記着色層に混入された拡散剤濃度をＣ１，前記基材層に混入された拡散剤濃度をＣ０としたときに、０≦Ｃ０＜Ｃ１が成立することを特徴とするレンチキュラーレンズシート。」
ｅ、訂正明細書の請求項６に係る発明
　訂正明細書の請求項６に係る発明は、特許請求の範囲に特定された、次のとおりのものである。
「【請求項６】請求項１から請求項３のいずれかに記載のレンチキュラーレンズシートにおいて、前記着色層は、拡散剤が混入されておらず、前記基材層は、着色されていないか又は前記着色層よりも薄く着色されており、さらに、前記着色層と前記基材層と中間に形成され、拡散剤が混入された拡散層を備えたことを特徴とするレンチキュラーレンズシート。」
ｆ、訂正明細書の請求項７に係る発明
　訂正明細書の請求項７に係る発明は、特許請求の範囲に特定された、次のとおりのものである。
「【請求項７】請求項１から請求項６のいずれか１項に記載のレンチキュラーレンズシートにおいて、前記レンチキュラーレンズ形状は、その接線がレンチキュラーレンズシート面に対して、臨界角以上の角度になる部分を含んでいることを特徴とするレンチキュラーレンズシート。」
ｇ、訂正明細書の請求項８に係る発明
　訂正明細書の請求項８に係る発明は、特許請求の範囲に特定された、次のとおりのものである。
「【請求項８】請求項１から請求項７のいずれか１項に記載のレンチキュラーレンズシートにおいて、前記基材層は、その出光面がフラット面又はマット面であることを特徴とするレンチキュラーレンズシート。」
ｈ、訂正明細書の請求項９に係る発明
　訂正明細書の請求項９に係る発明は、特許請求の範囲に特定された、次のとおりのものである。
「【請求項９】請求項８に記載のレンチキュラーレンズシートにおいて、前記基材層は、その出光面に反射防止層、低反射層、偏光フィルター層、帯電防止層、防眩処理層、ハードコード処理層のうちの少なくとも１つが形成されていることを特徴とするレンチキュラーレンズシート。」
ｊ、訂正明細書の請求項１０に係る発明
　訂正明細書の請求項１０に係る発明は、特許請求の範囲に特定された、次のとおりのものである。
「【請求項１０】基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、その出光面がフラット面又はマット面であり、前記レンズ部のレンズピッチを０.４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０.０５〜１.０倍であり、その厚さがシート厚の１/２以下であることを特徴とするディスプレイ用前面板。」
ｋ、訂正明細書の請求項１１に係る発明
　訂正明細書の請求項１１に係る発明は、特許請求の範囲に特定された、次のとおりのものである。
「【請求項１１】請求項１０に記載のディスプレイ用前面板において、前記基材層は、その出光面に反射防止層、低反射層、偏光フィルター層、帯電防止層、防眩処理層、ハードコート処理層のうちの少なくとも１つが形成されていることを特徴とするディスプレイ用前面板。」
ｌ、訂正明細書の請求項１２に係る発明
　訂正明細書の請求項１２に係る発明は、特許請求の範囲に特定された、次のとおりのものである。
「【請求項１２】請求項１から請求項９のいずれか１項に記載のレンチキュラーレンズシートと、前記レンチキュラーレンズシートの光源側に配置されたフレネルレンズシートとを含む透過型スクリーン。」
ｍ、訂正明細書の請求項１３に係る発明
　訂正明細書の請求項１３に係る発明は、特許請求の範囲に特定された、次のとおりのものである。
「【請求項１３】請求項１２に記載の透過型スクリーンにおいて、前記レンチキュラーレンズシートの観察側に配置された請求項１０又は請求項１１に記載のディスプレイ用前面板をさらに備えたことを特徴とする透過型スクリーン。」
ｎ、訂正明細書の請求項１４に係る発明
　訂正明細書の請求項１４に係る発明は、特許請求の範囲に特定された、次のとおりのものである。
「【請求項１４】請求項１２又は請求項１３に記載の透過型スクリーンにおいて、全光線透過率が４０〜７０％であることを特徴とする透過型スクリーン。」
イ．詳細な説明の訂正
ａ、発明の詳細な説明の欄段落【００１４】、【００１６】〜【００３１】の項（特許掲載公報第５〜８欄段落【００１４】、【００１６】〜【００３１】）を
「【００１４】
【課題を解決するための手段】
前記課題を解決するために、請求項１の発明は、基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、前記レンズ部のレンズピッチを０.４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０.０５〜１.０倍であり、その厚さがシート厚の１/２以下であることを特徴とするレンチキュラーレンズシートである。
【００１６】
【００１７】
【００１８】
請求項３の発明は、請求項１又は請求項２に記載のレンチキュラーレンズシートにおいて、前記レンズ部は、前記レンチキュラーレンズ形状が断面略楕円形であり、その横径をａ、縦径をｂとしたときに、そのレンチキュラーレンズ形状の頂部における前記着色層の厚さｔ１が、ほぼｔ１＝ｂ−ｂ２/（ａ２＋ｂ２）１/２の式で表されることを特徴とするレンチキュラーレンズシートである。
【００１９】
【００２０】
請求項４の発明は、請求項１から請求項３のいずれか１項に記載のレンチキュラーレンズシートにおいて、少なくとも前記着色層は、拡散剤が添加されていることを特徴とするレンチキュラーレンズシートである。
【００２１】
請求項５の発明は、請求項４に記載のレンチキュラーレンズシートにおいて、前記着色層に混入された拡散剤濃度をＣ１，前記基材層に混入された拡散剤濃度をＣ０としたときに、０≦Ｃ０＜Ｃ１が成立することを特徴とするレンチキュラーレンズシートである。
【００２２】
請求項６の発明は、請求項１から請求項３のいずれかに記載のレンチキュラーレンズシートにおいて、前記着色層は、拡散剤が混入されておらず、前記基材層は、着色されていないか又は前記着色層よりも薄く着色されており、さらに、前記着色層と前記基材層と中間に形成され、拡散剤が混入された拡散層を備えたことを特徴とするレンチキュラーレンズシートである。
【００２３】
請求項７の発明は、請求項１から請求項６のいずれか１項に記載のレンチキュラーレンズシートにおいて、前記レンチキュラーレンズ形状は、その接線がレンチキュラーレンズシート面に対して、臨界角以上の角度になる部分を含んでいることを特徴とするレンチキュラーレンズシートである。
【００２４】
請求項８の発明は、請求項１から請求項７のいずれか１項に記載のレンチキュラーレンズシートにおいて、前記基材層は、その出光面がフラット面又はマット面であることを特徴とするレンチキュラーレンズシートである。
【００２５】
【００２６】
請求項９の発明は、請求項８に記載のレンチキュラーレンズシートにおいて、前記基材層は、その出光面に反射防止層、低反射層、偏光フィルター層、帯電防止層、防眩処理層、ハードコード処理層のうちの少なくとも１つが形成されていることを特徴とするレンチキュラーレンズシートである。
【００２７】
請求項１０の発明は、基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、その出光面がフラット面又はマット面であり、前記レンズ部のレンズピッチを０.４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０.０５〜１.０倍であり、その厚さがシート厚の１/２以下であることを特徴とするディスプレイ用前面板である。
【００２８】
請求項１１の発明は、請求項１０に記載のディスプレイ用前面板において、前記基材層は、その出光面に反射防止層、低反射層、偏光フィルター層、帯電防止層、防眩処理層、ハードコート処理層のうちの少なくとも１つが形成されていることを特徴とするディスプレイ用前面板である。
【００２９】
請求項１２の発明は、請求項１から請求項９のいずれか１項に記載のレンチキュラーレンズシートと、前記レンチキュラーレンズシートの光源側に配置されたフレネルレンズシートとを含む透過型スクリーンである。
【００３０】
請求項１３の発明は、請求項１２に記載の透過型スクリーンにおいて、前記レンチキュラーレンズシートの観察側に配置された請求項１０又は請求項１１に記載のディスプレイ用前面板をさらに備えたことを特徴とする透過型スクリーンである。
【００３１】
請求項１４の発明は、請求項１２又は請求項１３に記載の透過型スクリーンにおいて、全光線透過率が４０〜７０％であることを特徴とする透過型スクリーンである。」
と訂正する。
ウ.訂正の目的の適否及び拡張・変更の存否等
　上記訂正ア、は、特許請求の範囲の減縮ないし明瞭でない記載の釈明に該当し、願書に添付した明細書又は図面に記載された事項の範囲内のものであり、実質的に特許請求の範囲を拡張又は変更するものではなく、新規事項の追加もない。また、上記訂正イ、は、発明の詳細な説明欄中の明瞭でない記載の釈明を目的とするものであり、願書に添付した明細書又は図面に記載された事項の範囲内のものであり、新規事項の追加もない。
エ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　　申立人村岡　宏は、証拠として甲第１号証（特開昭６３−１９９３３８号公報）を提出し、訂正前請求項１、３、７、９、１０に係る発明は、特許法第２９条第１項第３号の規定に違反してなされたものであるから、特許を取り消すべき旨主張し、さらに甲第２号証（特開昭５５−８７１４０号公報）、甲第３号証（特開昭５０−９６２２６号公報）、甲第４号証（実願昭６３−１１７０５５号＜実開平２−３９２３８号＞のマイクロフイルム）、甲第５号証（特開平２−２５１９４５号公報）を提出して、訂正前請求項１〜４、６〜１６に係る発明は、特許法第２９条第２項の規定に違反してなされたものであるから、特許を取り消すべき旨主張している。
イ．判断
　当審が平成１２年４月２７日付け取消理由通知において引用した甲第１号証（特開昭６３−１９９３３８号公報）には、「（１）透明な平板状素材と、該平板状素材の」（特許請求の範囲第１項第１行）、「（３）前記光拡散薄膜の表面がレンチキュラーレンズ形状であることを特徴とする特許請求の範囲第１項又は第２項記載の背面投影スクリーン。」（特許請求の範囲第３項）、「本実施例は、第１図の拡大概略斜視図に示す如く透明基材４の一主面に光拡散層５を積層させた平板状背面投影スクリーンである。透明基材４はガラス又は合成樹脂が用いられ、合成樹脂としては塩化ビニル樹脂、ポリカーボネート樹脂、スチレン系樹脂、オレフィン系樹脂が用いられるが、光学的特性及び機械的強度の点からアクリル樹脂が好ましい。光拡散層５は、その膜厚が１ｍｍ未満であり、放射線硬化型樹脂６中に、光を散乱させる粒子である光拡散剤７を混入、分散させた組成物から形成される。」（第３頁左上欄第１６行〜右上欄第６行）、「光拡散層では透明基板からの透過光が酸化ケイ素粒子に当たり拡散するので、」（第６頁左上欄第８〜９行）、「更に、画像のコントラストを向上させ外光反射を防止するために、バインダ６中に黒色の染料や顔料を添加したり、拡散層５の表面にブラックストライプを印刷することもできる。」（第６頁右上欄第７〜１０行）、及び「次に、本発明の実施例３及び４として光拡散層の膜厚を種々変化させたレンチキュラー形状背面投影スクリーンを作成する。先ず、上記実施例１と同様な組成で屈折率１.５２のバインダ１００重量部に対してピークゲインが７.０となるような量の平均粒径３μｍの酸化ケイ素粉末を１２重量部又は６重量部を添加し、アクリル酸エステル系の紫外線硬化型樹脂組成物を調製する。次に、第６図に示すレンチキュラー形状の金型を用意する。該金型１０の寸法をＷが０.５ｍｍ、Ｄが０.１ｍｍ、Ｒが０.３ｍｍで、積層するＰＭＭＡキャスト板からの距離ｔを光拡散層の膜厚とする。」（第８頁左下欄第３〜１４行）との記載があり、結局、透明基材４と、前記透明基材４の入光面と出光面とにに凸状に形成されたレンチキュラーレンズ形状を有するレンズ部と、前記レンズ部の少なくとも入光面の近傍に形成された着色層を備え、前記透明基材４は、着色されていないか又は前記着色層よりも薄く着色されており、前記レンズ部のレンズピッチを０.５ｍｍとした背面投影スクリーンが記載されている。
　同じく引用した甲第２号証（特開昭５５−８７１４０号公報）には、「ここで、拡散層１６は第２図で示されるように、レンズ面１０に形成されている。拡散層はスクリーン製造前レンチキュラーシートの素材板とは別体の拡散フィルムであらかじめ構成され、又はレンチキュラーシートの素材板に塗布され、あるいはレンチキュラーシートのレンズ面にスクリーン製造時に加工されるマット化層として構成される。次に、拡散層１６として拡散フィルムを用いた場合のスクリーンの製法につき述べる。フィルムはスクリーンの製造前にあらかじめ作成される。フィルム主体は、例えばアクリル樹脂、塩化ビニル樹脂、ポリカーボネート、セルロース系樹脂であり、この中に光散乱性顔料、着色材等が混入される。光散乱性顔料は、スクリーンに光拡散性を与えるべく添加されるもので、例えば酸化ケイ素、酸化アルミ、ガラス粉、各種粘土等である。着色材はスクリーンにコントラスト効果を与えるべく添加されるもので、各種着色顔料、染料等である。これら、染料、着色顔料はスクリーンの用途に応じ任意の色のスクリーンを作るべく同時に混入することができる。なお、灰色系統の着色は明室でのコントラスト向上を図るうえで有利である。」（第２頁左下欄第１０行〜右下欄第１２行）及び「この結果、レンチキュラーシートが即スクリーンとして３ｍｍの厚さで得られ、レンズ面には内部拡散層を有し、１ｍ×１ｍのサイズにおいても充分なる機械的強度のスクリーンを得た。」（第３頁右下欄第１５〜１９行）との記載があり、
　同じく引用した甲第３号証（特開昭５０−９６２２６号公報）には、「少なくとも、光拡散層と、可視光透過率９５〜４５％の透明着色層を有することを特徴とするスクリーン。」（特許請求の範囲）及び「（実施例１）淡青色透明アクリル成型板（三菱レイヨン株式会社製；アクリライトＬＢ−０４５）３０８ｍ/ｍ×２３９ｍ/ｍ厚さ３ｍｍに、拡散層として下記の組成の塗料をスプレーガンにより塗布し、後面投影スクリーンを作った。（スクリーン〜Ａ）塗布厚は乾燥後３５μであった。
＜ダイヤナールＬＲ−６３７（三菱レイヨン株式会社）１００部
籔性硫酸バリウムＢＡ（堺化学工業株式会社）６０部
トルエン　２００部
エチルセロソルプ　３０部＞
更に、前記スクリーンＡの拡散層上に本発明の特徴である透明着色層として、下記の淡着色透明塗料組成物をスプレーガンにより塗布し（塗布厚は乾燥後１５μであった。）スクリーン〜Ｂとした。
＜ダイヤナールＬＲ−１５（三菱レイヨン株式会社）１００部
ネオザボンブラック（バイシェ　アニリン　ウント・ソーダ・ファブリック　アクチエンゲゼルシャフト）０.０８部
メチルイソブチルケトン　２００部
エチルセロソルプ　３０部＞
この様にして作った後面投影スクリーンＢは、比較のために同時に作った透明吸収層をつけないスクリーンＡに比しコントラスト、解像力が良好であった。」（第３頁左下欄第４行〜右下欄第１０行）との記載があり、
　同じく引用した甲第４号証（実願昭６３−１１７０５５号＜実開平２−３９２３８号＞のマイクロフイルム）には、「光の入射面と、観察面とを備えたスクリーンにおいて、上記観察面に弾力性を有する艶消し塗膜を形成したことを特徴とする透過型スクリーン。」（実用新案登録請求の範囲）との記載があり、
　同じく引用した甲第５号証（特開平２−２５１９４５号公報）には、「（１１）透光性板の出射面に反射防止膜を施した請求項（７）記載の透過型スクリーン。」（特許請求の範囲第１１項）との記載がある。
（本件請求項１に係る発明と甲各号証に記載された発明との対比・判断）
　本件請求項１に係る発明と上記甲第１号証に記載された発明とを対比すると、本件請求項１に係る発明の「基材層」は、上記甲第１号証に記載された発明の「透明基材４」に相当するから、両者は、基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、前記レンズ部のレンズピッチを所定の値とした膜状物で一致し、
Ａ、レンズ部が形成される箇所が、本件請求項１に係る発明は、入光面片面であるのに対して、上記甲第１号証は、入光面と出光面とである点、
Ｂ、レンズピッチが、本件請求項１に係る発明は、０.４ｍｍ以下であるのに対して、上記甲第１号証は、０.５ｍｍである点、
Ｃ、着色層が、本件請求項１に係る発明は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０.０５〜１.０倍であり、その厚さがシート厚の１/２以下であるのに対して、上記甲第１号証は、そのような記載がない点、
Ｄ、膜状物が、本件請求項１に係る発明は、レンチキュラーレンズシートであるのに対して、上記甲第１号証は、背面投影スクリーンである点で相違する。
　そこで先ず、上記甲第２〜５号証に、これらの相違点Ａ〜Ｄが開示されているか否かを検討すると、甲第２号には、Ｂ、Ｃが開示されておらず、甲第３号証には、Ａ〜Ｄが開示されておらず、甲第４号証には、Ｂ、Ｃが開示されておらず、甲第５号証には、Ｂ、Ｃが開示されていない。
  してみれば、上記甲第１〜５号証には、相違点Ｂ、Ｃの構成が全く開示されていない。
　本件請求項１に係る発明は、上記Ｂ、Ｃの構成を有することによって、明細書記載の効果を奏するものであるから、本件請求項１に係る発明が、上記甲第１〜５号証のいずれかであるとも、各甲号証に基づいて、当業者が容易に推考できたものとも言えない。
（本件請求項２〜９に係る発明と甲各号証に記載された発明との対比・判断）
  本件請求項２〜９に係る発明は、本件請求項１〜８に係る発明の構成の一部をさらに限定したものであるから、本件請求項１に係る発明と同様の判断である。
（本件請求項１０に係る発明と甲各号証に記載された発明との対比・判断）
　本件請求項１０に係る発明と上記甲第１号証に記載された発明とを対比すると、本件請求項１０に係る発明の「基材層」は、上記甲第１号証に記載された発明の「透明基材４」に相当するから、両者は、基材層と、前記基材層の入光面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、その出光面がフラット面又はマット面であり、前記レンズ部のレンズピッチを所定の値とした膜状物で一致し、
Ａ、レンズ部が形成される箇所が、本件請求項１０に係る発明は、入光面片面であるのに対して、上記甲第１号証は、入光面と出光面とである点、
Ｂ、レンズピッチが、本件請求項１０に係る発明は、０.４ｍｍ以下であるのに対して、上記甲第１号証は、０.５ｍｍである点、
Ｃ、着色層が、本件請求項１０に係る発明は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０.０５〜１.０倍であり、その厚さがシート厚の１/２以下であるのに対して、上記甲第１号証は、そのような記載がない点、
Ｄ’、膜状物が、本件請求項１に係る発明は、ディスプレイ用前面板であるのに対して、上記甲第１号証は、背面投影スクリーンである点で相違する。
　そこで先ず、上記甲第２〜５号証に、これらの相違点Ａ〜Ｄ’が開示されているか否かを検討すると、甲第２号には、Ｂ、Ｃが開示されておらず、甲第３号証には、Ａ〜Ｄ’が開示されておらず、甲第４号証には、Ｂ、Ｃが開示されておらず、甲第５号証には、Ｂ、Ｃが開示されていない。
  してみれば、上記甲第１〜５号証には、相違点Ｂ、Ｃの構成が全く開示されていない。
　本件請求項１０に係る発明は、上記Ｂ、Ｃの構成を有することによって、明細書記載の効果を奏するものであるから、本件請求項１０に係る発明が、上記甲第１〜５号証のいずれかであるとも、各甲号証に基づいて、当業者が容易に推考できたものとも言えない。
（本件請求項１１〜１４に係る発明と甲各号証に記載された発明との対比・判断）
  本件請求項１１〜１４に係る発明は、本件請求項１０〜１３に係る発明の構成の一部をさらに限定したものであるから、本件請求項１０に係る発明と同様の判断である。
ウ．むすび
　以上のとおりであるから、特許異議申立の理由及び証拠によっては、本件請求項１〜１４に係る発明の特許を取り消すことはできない。
　また、他に本件請求項１〜１４に係る発明の特許を取り消すべき理由を発見しない。
　よって、結論のとおり決定する。
【異議決定日】
平成１２年１０月１１日（２０００．１０．１１）
【訂正の要旨】
　　　訂正の要旨
特許請求の範囲の減縮を目的として、下記（１）〜（１３）のように特許請求の範囲を訂正する。また、特許請求の範囲の訂正に応じて、発明の詳細な説明についても、適合性を持たせるために下記（１４）のように訂正する。
（１）特許請求の範囲の請求項１を、次のとおり訂正する。
「【請求項１】基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、前記レンズ部のレンズピッチを０．４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０．０５〜１．０倍であり、その厚さがシート厚の１／２以下であることを特徴とするレンチキュラーレンズシート。」
（２）特許請求の範囲の請求項３を、次のとおり訂正する。
「【請求項３】請求項１又は請求項２に記載のレンチキュラーレンズシートにおいて、前記レンズ部は、前記レンチキュラーレンズ形状が断面略楕円形であり、その横径をａ、縦径をｂとしたときに、そのレンチキュラーレンズ形状の頂部における前記着色層の厚さｔ１が、ほぼｔ１＝ｂ−ｂ２／（ａ２＋ｂ２）１／２の式で表されることを特徴とするレンチキュラーレンズシート。」
（３）特許請求の範囲の請求項４を、次のとおり訂正する。
「【請求項４】請求項１から請求項３のいずれか１項に記載のレンチキュラーレンズシートにおいて、少なくとも前記着色層は、拡散剤が添加されていることを特徴とするレンチキュラーレンズシート。」
（４）特許請求の範囲の請求項５を、次のとおり訂正する。
「【請求項５】請求項４に記載のレンチキュラーレンズシートにおいて、前記着色層に混入された拡散剤濃度をＣ１，前記基材層に混入された拡散剤濃度をＣ０としたときに、０≦Ｃ０＜Ｃ１が成立することを特徴とするレンチキュラーレンズシート。」
（５）特許請求の範囲の請求項６を、次のとおり訂正する。
「【請求項６】請求項１から請求項３のいずれかに記載のレンチキュラーレンズシートにおいて、前記着色層は、拡散剤が混入されておらず、前記基材層は、着色されていないか又は前記着色層よりも薄く着色されており、さらに、前記着色層と前記基材層と中間に形成され、拡散剤が混入された拡散層を備えたことを特徴とするレンチキュラーレンズシート。」
（６）特許請求の範囲の請求項７を、次のとおり訂正する。
「【請求項７】請求項１から請求項６のいずれか１項に記載のレンチキュラーレンズシートにおいて、前記レンチキュラーレンズ形状は、その接線がレンチキュラーレンズシート面に対して、臨界角以上の角度になる部分を含んでいることを特徴とするレンチキュラーレンズシート。」
（７）特許請求の範囲の請求項８を、次のとおり訂正する。
「【請求項８】請求項１から請求項７のいずれか１項に記載のレンチキュラーレンズシートにおいて、前記基材層は、その出光面がフラット面又はマット面であることを特徴とするレンチキュラーレンズシート。」
（８）特許請求の範囲の請求項９を、次のとおり訂正する。
「【請求項９】請求項８に記載のレンチキュラーレンズシートにおいて、前記基材層は、その出光面に反射防止層、低反射層、偏光フィルター層、帯電防止層、防眩処理層、ハードコード処理層のうちの少なくとも１つが形成されていることを特徴とするレンチキュラーレンズシート。」
（９）特許請求の範囲の請求項１０を、次のとおり訂正する。
「【請求項１０】基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、その出光面がフラット面又はマット面であり、前記レンズ部のレンズピッチを０．４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０．０５〜１．０倍であり、その厚さがシート厚の１／２以下であることを特徴とするディスプレイ用前面板。」
（１０）特許請求の範囲の請求項１１を、次のとおり訂正する。
「【請求項１１】請求項１０に記載のディスプレイ用前面板において、前記基材層は、その出光面に反射防止層、低反射層、偏光フィルター層、帯電防止層、防眩処理層、ハードコート処理層のうちの少なくとも１つが形成されていることを特徴とするディスプレイ用前面板。」
（１１）特許請求の範囲の請求項１２を、次のとおり訂正する。
「【請求項１２】請求項１から請求項９のいずれか１項に記載のレンチキュラーレンズシートと、前記レンチキュラーレンズシートの光源側に配置されたフレネルレンズシートとを含む透過型スクリーン。」
（１２）特許請求の範囲の請求項１３を、次のとおり訂正する。
「【請求項１３】請求項１２に記載の透過型スクリーンにおいて、前記レンチキュラーレンズシートの観察側に配置された請求項１０又は請求項１１に記載のディスプレイ用前面板をさらに備えたことを特徴とする透過型スクリーン。」
（１３）特許請求の範囲の請求項１４を、次のとおり訂正する。
「【請求項１４】請求項１２又は請求項１３に記載の透過型スクリーンにおいて、全光線透過率が４０〜７０％であることを特徴とする透過型スクリーン。」
（１４）発明の詳細な説明の欄段落【００１４】、【００１６】〜【００３１】の項（特許掲載公報第５〜８欄段落【００１４】、【００１６】〜【００３１】）を
「【００１４】
　【課題を解決するための手段】
前記課題を解決するために、請求項１の発明は、基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、前記レンズ部のレンズピッチを０．４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０．０５〜１．０倍であり、その厚さがシート厚の１／２以下であることを特徴とするレンチキュラーレンズシートである。
　【００１６】
　【００１７】
　【００１８】
請求項３の発明は、請求項１又は請求項２に記載のレンチキュラーレンズシートにおいて、前記レンズ部は、前記レンチキュラーレンズ形状が断面略楕円形であり、その横径をａ、縦径をｂとしたときに、そのレンチキュラーレンズ形状の頂部における前記着色層の厚さｔ１が、ほぼｔ１＝ｂ−ｂ２／（ａ２＋ｂ２）１／２の式で表されることを特徴とするレンチキュラーレンズシートである。
　【００１９】
　【００２０】
請求項４の発明は、請求項１から請求項３のいずれか１項に記載のレンチキュラーレンズシートにおいて、少なくとも前記着色層は、拡散剤が添加されていることを特徴とするレンチキュラーレンズシートである。
　【００２１】
請求項５の発明は、請求項４に記載のレンチキュラーレンズシートにおいて、前記着色層に混入された拡散剤濃度をＣ１，前記基材層に混入された拡散剤濃度をＣ０としたときに、０≦Ｃ０＜Ｃ１が成立することを特徴とするレンチキュラーレンズシートである。
　【００２２】
請求項６の発明は、請求項１から請求項３のいずれかに記載のレンチキュラーレンズシートにおいて、前記着色層は、拡散剤が混入されておらず、前記基材層は、着色されていないか又は前記着色層よりも薄く着色されており、さらに、前記着色層と前記基材層と中間に形成され、拡散剤が混入された拡散層を備えたことを特徴とするレンチキュラーレンズシートである。
　【００２３】
請求項７の発明は、請求項１から請求項６のいずれか１項に記載のレンチキュラーレンズシートにおいて、前記レンチキュラーレンズ形状は、その接線がレンチキュラーレンズシート面に対して、臨界角以上の角度になる部分を含んでいることを特徴とするレンチキュラーレンズシートである。
　【００２４】
請求項８の発明は、請求項１から請求項７のいずれか１項に記載のレンチキュラーレンズシートにおいて、前記基材層は、その出光面がフラット面又はマット面であることを特徴とするレンチキュラーレンズシートである。
　【００２５】
　【００２６】
請求項９の発明は、請求項８に記載のレンチキュラーレンズシートにおいて、前記基材層は、その出光面に反射防止層、低反射層、偏光フィルター層、帯電防止層、防眩処理層、ハードコード処理層のうちの少なくとも１つが形成されていることを特徴とするレンチキュラーレンズシートである。
　【００２７】
請求項１０の発明は、基材層と、前記基材層の入光面片面に凸状に形成されたレンチキュラーレンズ形状を有するレンズ部と、前記レンズ部の少なくとも入光面の近傍に形成された着色層を備え、前記基材層は、着色されていないか又は前記着色層よりも薄く着色されており、その出光面がフラット面又はマット面であり、前記レンズ部のレンズピッチを０．４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０．０５〜１．０倍であり、その厚さがシート厚の１／２以下であることを特徴とするディスプレイ用前面板である。
　【００２８】
請求項１１の発明は、請求項１０に記載のディスプレイ用前面板において、前記基材層は、その出光面に反射防止層、低反射層、偏光フィルター層、帯電防止層、防眩処理層、ハードコート処理層のうちの少なくとも１つが形成されていることを特徴とするディスプレイ用前面板である。
　【００２９】
請求項１２の発明は、請求項１から請求項９のいずれか１項に記載のレンチキュラーレンズシートと、前記レンチキュラーレンズシートの光源側に配置されたフレネルレンズシートとを含む透過型スクリーンである。
　【００３０】
請求項１３の発明は、請求項１２に記載の透過型スクリーンにおいて、前記レンチキュラーレンズシートの観察側に配置された請求項１０又は請求項１１に記載のディスプレイ用前面板をさらに備えたことを特徴とする透過型スクリーンである。
　【００３１】
請求項１４の発明は、請求項１２又は請求項１３に記載の透過型スクリーンにおいて、全光線透過率が４０〜７０％であることを特徴とする透過型スクリーンである。」
と訂正する。
（５４）【発明の名称】
レンチキュラーレンズシート、ディスプレイ用前面板及び透過型スクリーン
（５７）【特許請求の範囲】
　　【請求項１】　基材層と、
　前記基材層の入光面
片面
　前記レンズ部の少なくとも入光面の近傍に形成された着色層を備え、
　前記基材層は、着色されていないか又は前記着色層よりも薄く着色されており、
　
前記レンズ部のレンズピッチを０．４ｍｍ以下とし、
　前記着色層は、
　前記各レンズ部の中心部の厚さをｔ１、裾部のレンズ面に垂直に測った厚さをｔ２としたときに、ｔ１＞ｔ２となるように、その厚さを定め
、
　
その厚さが前記レンチキュラーレンズ形状のピッチの０．０５〜１．０倍であり、
　
その厚さがシート厚の１／２以下であること
を特徴とするレンチキュラーレンズシート。
　　【請求項２】　請求項１に記載のレンチキュラーレンズシートにおいて、
　前記着色層は、レンズ形状に沿った形状となっていること
を特徴とするレンチキュラーレンズシート。
　　【請求項
３
又は請求項２
　前記レンズ部は、前記レンチキュラーレンズ形状が断面略楕円形であり、その横径をａ、縦径をｂとしたときに、そのレンチキュラーレンズ形状の頂部における前記着色層の厚さｔ１が、ほぼｔ１＝ｂ−ｂ２／（ａ２＋ｂ２）１／２の式で表されること
を特徴とするレンチキュラーレンズシート。
　　【請求項
４
３
　少なくとも前記着色層は、拡散剤が添加されていること
を特徴とするレンチキュラーレンズシート。
　　【請求項
５
４
　前記着色層に混入された拡散剤濃度をＣ１、前記基材層に混入された拡散剤濃度をＣ０としたときに、０≦Ｃ０＜Ｃ１が成立すること
を特徴とするレンチキュラーレンズシート。
　　【請求項
６
３
　前記着色層は、拡散剤が混入されておらず、
　前記基材層は、着色されていないか又は前記着色層よりも薄く着色されており、
　さらに、前記着色層と前記基材層と中間に形成され、拡散剤が混入された拡散層を備えたこと
を特徴とするレンチキュラーレンズシート。
　　【請求項
７
６
　前記レンチキュラーレンズ形状は、その接線がレンチキュラーレンズシート面に対して、臨界角以上の角度になる部分を含んでいること
を特徴とするレンチキュラーレンズシート。
　　【請求項
８
７
　前記基材層は、その出光面がフラット面又はマット面であること
を特徴とするレンチキュラーレンズシート。
　　【請求項
９
８
　前記基材層は、その出光面に反射防止層、低反射層、偏光フィルター層、帯電防止層、防眩処理層、ハードコード処理層のうちの少なくとも１つが形成されていること
を特徴とするレンチキュラーレンズシート。
　　【請求項
１０
　前記基材層の入光面
片面
と、
　前記レンズ部の少なくとも入光面の近傍に形成された着色層を備え、
　前記基材層は、
　
着色されていないか又は前記着色層よりも薄く着色されており、
　その出光面がフラット面又はマット面であ
り、
　
前記レンズ部のレンズピッチを０．４ｍｍ以下とし、
　
前記着色層は、
　
前記各レンズ部の中心部の厚さをｔ１、裾部のレンズ面に垂直に測った厚さをｔ２としたときに、ｔ１＞ｔ２となるように、その厚さを定め、
　
その厚さが前記レンチキュラーレンズ形状のピッチの０．０５〜１．０倍であり、
　
その厚さがシート厚の１／２以下であること
を特徴とするディスプレイ用前面板。
　　【請求項
１１
１０
　前記基材層は、その出光面に反射防止層、低反射層、偏光フィルター層、帯電防止層、防眩処理層、ハードコート処理層のうちの少なくとも１つが形成されている
ことを特徴とするディスプレイ用前面板。
　　【請求項
１２
　請求項１から請求項
９
　前記レンチキュラーレンズシートの光源側に配置されたフレネルレンズシートと
を含む透過型スクリーン。
　　【請求項
１３
１２
　前記レンチキュラーレンズシートの観察側に配置された請求項
１０
１１
を特徴とする透過型スクリーン。
　　【請求項
１４
１２
１３
　全光線透過率が４０〜７０％であること
を特徴とする透過型スクリーン。
【発明の詳細な説明】
　　　【０００１】
　　【発明の属する技術分野】
　本発明は、ＬＣＤ（液晶表示装置）やＤＭＤ（Ｄｉｇｔａｌ　Ｍｉｃｒｏ−ｍｉｒｒｏｒ　Ｄｅｖｉｃｅ）等のようなセル構造を有する画像光源からの画像を投影して観察するのに適したレンチキュラーレンズシート、ディスプレイ用前面板及び透過型スクリーンに関するものである。
　　　【０００２】
　　【従来の技術】
　従来から、画像光源として、赤，緑，青の３本のＣＲＴを用い、スクリーンとして、透過型投影スクリーンを用いる背面投射型プロジェクションテレビが知られている。
　このような透過型投影スクリーンは、光を広い範囲に拡散することと、外光の影響を小さくすることが要求されている。
　　　【０００３】
　図４は、従来の透過型投影スクリーンの一例を示した図である。
　透過型投影スクリーンは、前述した要求を満たすために、入光面４１に光を集光するレンチキュラーレンズ等のレンズ部４２を形成し、そのレンズ部４２の焦点付近を出光面４４とし、その出光面４４の一部に非出光部４７を設けて遮光部（ブラックストライプ：以下ＢＳという）４８とすることによって、光を拡散させると同時に、外光の影響を低減させたＢＳ付きのレンチキュラーレンズシート４０が使用されている。
　　　【０００４】
　また、画像光源として、ＬＣＤやＤＭＤを用いたプロジェクションテレビが開発されている。このプロジェクションテレビにおいても、拡散特性の向上と外光反射の防止という観点から、前述したＢＳ付きレンチキュラーレンズシートが使用されている。
　　　【０００５】
　　【発明が解決しようとする課題】
　しかし、前述したＬＣＤやＤＭＤを用いたプロジェクションテレビは、パネルのセル構造に起因する格子パターンがスクリーン上に投影されるので、前述した一定のピッチで周期的構造を有するレンチキュラーレンズシートに画像を投影して観察すると、レンチキュラーレンズのサンプリング効果により、モアレを発生する可能性がある。
　　　【０００６】
　このようなモアレの発生を防止するためには、レンチキュラーレンズのピッチが、投影された格子パターンのピッチの１／３．５以下になるように小さくすることが好ましいとされている。
　また、ＬＣＤやＤＭＤを用いたプロジェクションテレビは、シンチレーションと呼ばれる映像のぎらつきが生じるが、レンチキュラーレンズのピッチを小さくすることは、このシンチレーションを弱くする上でも有効である。
　　　【０００７】
　一方、透過型投影スクリーンは、図４に示したＢＳ付きのレンチキュラーレンズシートを用いている場合には、光を４０°以上の広い範囲に拡散し、同時にＢＳを形成しようとすると、入光レンズと出光面の間の距離をレンズピッチの１．３倍程度にしなければならない。このために、スクリーン上に投影される格子パターンとレンズピッチとのモアレを目立たなくするためには、レンズピッチは、０．４ｍｍ以下、レンズの厚みは、０．５４ｍｍ以下にしなければならない。
　　　【０００８】
　しかし、前述したように、スクリーンの厚みを薄くすると、スクリーンの剛性が低下し、スクリーンをフラットに保持することが困難になる。
　また、このような薄いレンズシートを押し出し成型等によって精度よく成型することは非常に困難である。
　　　【０００９】
　さらに、透過型投影スクリーンは、前述した理由から、ＬＣＤやＤＭＤを用いたプロジェクションテレビ用として、出光側片面レンチキュラーレンズや入光側片面レンチキュラーレンズ等を着色して用いることも行われている。
　　　【００１０】
　出光側片面レンチキュラーレンズは、断面が円や楕円の一部の形状のものと、全反射を利用する形状のものがある。
　前者の断面が円や楕円の一部の形状のものは、レンズ形状の裾の部分で投射光に対するレンズ角度が臨界角を越えて全反射を起こすために、視野角を広くできない。
　後者の全反射を利用する形状のものは、その特異な形状のために、押し出し成型では正確な型転写がおこなえず、生産性の悪いキャスト成型によって製造せざるを得ないという問題がある。
　　　【００１１】
　図６は、入光面片面のレンチキュラーレンズシートの入光位置の傾斜角と光の出射角の関係を示す図である。
　図６において、φは入光レンズの裾の部分のレンズ角度、θはレンズの裾の部分に入射した光の出射角、ｈは入光レンズの高さ、Ｌは、入光点（レンズの裾の部分）から集光点までの距離である。また、表４は、入光レンズの裾の部分のレンズ角度に対する光の出射角と集光点の位置を示す。
　入光側片面レンチキュラーレンズは、出射角θ＝４０°以上の広い視野角を得るためには、図６及び表４に示したように、レンズ形状の裾の部分の角度φを６０°以上に大きくする必要がある。
　しかし、裾の角度を大きくすると、図３（Ｂ）に示すように、出光面側から入射する外光が入光レンズで全反射して、出光面から再出射して観察されるために、画像のコントラストが著しく低下するという問題があった。
　なお、通常、多くのＢＳ付レンチキュラーレンズシートが、ほぼ入光レンズの集光点位置に出光面を形成するから、入光レンズ−出光面間の距離はｈ＋Ｌになるが、表４において、ｈ＋Ｌは、φが６０°のとき１．４１、７０°のとき１．２５であり、前述の通り、入光レンズ−出光面間の距離は、レンズピッチのほぼ１．３倍程度に設計する必要があることがわかる。従って、レンズピッチを小さくすると、レンズシートの厚みが薄くなり、剛性が低下するとともに、成形が困難になるのである。
　　　【００１２】
　【表４】
　　　【００１３】
　本発明は、映像光の強度をあまり落とすことなく、外光反射を抑え、コントラストを高めることができ、しかも、ファインピッチ化を可能とするレンチキュラーレンズシート、ディスプレイ用前面板及び透過型スクリーンを提供することを課題とする。
　　　【００１４】
　　【課題を解決するための手段】
　前記課題を解決するために、請求項１の発明は、基材層と、前記基材層の入光面
片面
前記レンズ部のレンズピッチを０．４ｍｍ以下とし、
、その厚さが前記レンチキュラーレンズ形状のピッチの０．０５〜１．０倍であり、その厚さがシート厚の１／２以下であること
　　　【００１５】
　請求項２の発明は、請求項１に記載のレンチキュラーレンズシートにおいて、前記着色層は、レンズ形状に沿った形状となっていることを特徴とするレンチキュラーレンズシートである。
　　　【００１６】
　　　【００１７】
　　　【００１８】
　請求項
３
又は請求項２
　　　【００１９】
　　　【００２０】
　請求項
４
３
　　　【００２１】
　請求項
５
４
　　　【００２２】
　請求項
６
３
　　　【００２３】
　請求項
７
６
　　　【００２４】
　請求項
８
７
　　　【００２５】
　　　【００２６】
　請求項
９
８
　　　【００２７】
　請求項
１０
片面
と、
着色されていないか又は前記着色層よりも薄く着色されており、
り、前記レンズ部のレンズピッチを０．４ｍｍ以下とし、前記着色層は、前記各レンズ部の中心部の厚さをｔ１、裾部のレンズ面に垂直に測った厚さをｔ２としたときに、ｔ１＞ｔ２となるように、その厚さを定め、その厚さが前記レンチキュラーレンズ形状のピッチの０．０５〜１．０倍であり、その厚さがシート厚の１／２以下であること
　　　【００２８】
　請求項
１１
１０
　　　【００２９】
　請求項
１２
９
　　　【００３０】
　請求項
１３
１２
１０
１１
　　　【００３１】
　請求項
１４
１２
１３
　　　【００３２】
　　【発明の実施の形態】
　以下、図面などを参照しながら、本発明の実施の形態をあけて、さらに詳細に説明する。
　図１は、本発明によるレンチキュラーレンズシート及び透過型スクリーンの実施形態を示す図である。図２は、レンチキュラーレンズシートにより反射された外光の挙動を説明する図である。
　　　【００３３】
（透過型スクリーンの実施形態：請求項１６）
　この透過型スクリーン１は、図１（Ａ）に示すように、レンチキュラーレンズシート１０と、フレネルレンズシート２０とを組み合わせたものであり、１レンズタイプのＬＣＤプロジェクターの光源２とともに、背面投射システムを構成している。
　　　【００３４】
（レンチキュラーレンズシートの実施形態：請求項１）
　レンチキュラーレンズシート１０は、図１（Ｂ）に拡大して示したように、入光面１１に、凸状のレンチキュラーレンズ形状を有するレンズ部１２が形成されており、レンズ部１２の入光面１１近傍に着色層１３が形成されている。基材層１５は、着色層１３から出光面１４までの層である。
　この着色層１３は、入光片面のレンチキュラーレンズシート１０でありながら、コントラストを高める機能がある。
　　　【００３５】
（着色層の機能）
　次に、本実施形態に係るレンチキュラーレンズシート１０が良好なコントラストを得られることを、従来例に係るレンチキュラーレンズシート６０と比較しながら説明する。
　図３は、本実施形態に係るレンチキュラーレンズシートの入光面着色層の機能を、従来例に係るレンチキュラーレンズシート（ボディ着色タイプ）と比較して示した説明図である。
　　　【００３６】
　従来のレンチキュラーレンズシート６０は、入光面片面レンチキュラーレンズシートであって、基材層６５がすべて着色されたボディ着色タイプのものである。観察側から入射した外光Ｂ１が、入光面６１に形成されたレンズ部６２によって全反射され、観察側に外光Ｄ４が再出射する。このときに、外光Ｄ１は、レンズ部６２のレンチキュラーレンズ形状に沿って、反射を繰り返す（Ｄ１→Ｄ２→Ｄ３→Ｄ４）。
　　　【００３７】
　本実施形態のレンチキュラーレンズシート１０は、この全反射光の経路に沿って着色層１３が形成されているので、映像光Ａの着色層１３内の光路長に対して、外光Ｂの着色層１３内の光路長は、５〜１０倍になる。一方、従来のボディ着色タイプのレンチキュラーレンズシート６０の場合には、その比は、せいぜい２〜３倍程度にしかならない。
　このために、本発明のレンチキュラーレンズシート１０は、映像光Ａの強度をあまり落とすことなく、外光Ｂの反射を抑えることができるので、コントラストの良好なスクリーンとすることができる。
　　　【００３８】
（レンズ部：請求項１０）
　本実施形態のレンチキュラーレンズシート１０は、入光面１１のレンズ部１２によって全反射する外光Ｂを効率よく吸収するものである。従って、レンズ部１２は、図５に示すスクリーン面に対する角度φが、少なくとも臨界角（約４２°）以上となる傾きを有する部位を有している必要があり、これ以下の傾きしかないレンズ部の場合には、図３（Ｂ）のボディ着色タイプのレンチキュラーレンズシート６０に対して優位性を発揮できなくなる。
　図５は、レンチキュラーレンズシートに垂直に入射した外光が入光レンズから出射する時または入光レンズで全反射する時の入射角φが、その部位のスクリーン面に対するレンズ角に等しいことを説明する図である。図５において、Ｌ−Ｌ’（接線）とＭ−Ｍ’（法線）は直角に交わり、ｉ＝ｉ’であるから、φ＝φ’となる。
　したがって、外光を入光レンズ面で全反射させるには、レンズ角φが臨界角ｓｉｎ−１（１／ｎ）［ｎはレンズシートの屈折率］以上の部位を入光レンズが有していることが必要となる。
　　　【００３９】
　しかし、表４に示したように、傾きが４２°程度では、約２５°の拡散角しか得られないために、通常、拡散角が４０°以上となるように、レンズ部１２のレンチキュラーレンズ形状は、６０°程度以上の角度となる部位を有していることが望ましい。
　　　【００４０】
（着色層の着色方法）
　着色層１３の着色は、染料や微細な顔料を用いて、これをレンチキュラーレンズシート１０の成形樹脂に混合又は分散させて行うことができる。
　　　【００４１】
（着色層の色）
　着色する色は、グレーのような無彩色や、光源の分光特性における３原色（赤，緑，青）のバランスを制御するような特定の色の光を選択的に吸収又は透過するようなものを用いることができる。
　　　【００４２】
（着色層の着色濃度：請求項１８）
　着色層１３の着色濃度は、着色層１３よりも出光面側の部分（基材層１５）の着色濃度よりも高くし、基材層１５の着色濃度は、零又は低く留めることが、光源２からの投射光の透過率をあまり損なうことなく、外光の影響を抑えるために好ましい。
　　　【００４３】
　図７は、本実施形態に係る透過型スクリーンの透過率とコントラストとの関係を示した図である。
　着色濃度は、スクリーン透過率が、４０〜７０％となるような濃さとするのが好ましい。透過率が７０％よりも高くなるように着色濃度を低くすると、透過率は向上するが、それにともない、レンズ部１２で全反射して観察側へ返る外光の強度が強くなりコントラストが悪化する。逆に、透過率が４０％よりも低くなるように着色濃度を高くすると、映像光の透過率が悪くなるばかりであり、出光面１４での外光反射が相対的に目立つようになり、やはり、コントラストの悪化を招く。
　図７は、本発明の、入光面側に薄い着色層を設けた片面レンチキュラーレンズシートを、着色層の着色濃度を種々変えて作製し、分光光度計（島津製作所（株）製ＵＶ２１００）を用いて、これらの透過率と反射率を測定し、透過率に対して、反射率と、透過率と反射率の比（透過率／反射率）をプロットした図である。反射率は左の軸で、透過率と反射率の比は右の軸で見る。
　着色濃度を下げることで、レンチキュラーレンズシートの透過率は上昇するが、反射率は、透過率が７０％を越えるあたりから急激に上昇する。これは、着色濃度が薄くなるために着色層が外光を十分に吸収できなくなるためである。
　一方、本発明のレンチキュラーレンズシートは、観察側（出光面側）で反射する外光は吸収しないため、着色濃度を濃くして透過率を下げていく場合にも、透過率と反射率の比は減少していき、透過率と反射率の比は、透過率が５０％のときをピークとして両側で下降している。
　従って、透過率が４０〜７０％となるように着色することが好ましい。
　　　【００４４】
　また、光源２として、透過型ＬＣＤ光源を用いる場合には、その透過型ＬＣＤ光源は、その出力があまり大きくないので、透過率を犠牲にすることにも限度があり、４５〜６０％の透過率とすることが、さらに好ましい。
　　　【００４５】
（着色層の寸法：請求項３，請求項４）
　着色層１３は、その厚さｔ１がレンチキュラーレンズ１２のピッチｐの０．０５〜１．０倍であることが好ましい。また、着色層１３は、その厚さｔ１がシートの厚さｔ０の１／２以下であることが好ましい。
　いずれも、反射した外光が、よく通る部分に着色層１３を形成するために好適な条件を示すものである。
　　　【００４６】
（着色層の形状：請求項２，請求項５）
　図８は、本実施形態に係るレンチキュラーレンズシートの着色層の厚さの最適値を説明するための図である。
　本実施形態のレンチキュラーレンズシート１０は、前述したように、出光面（観察側）から入射した外光がレンズ部１２に沿って進むことを利用しているので、着色層１３は、そのレンズ部１２に沿った形状とすることが望ましい。
　　　【００４７】
　この場合に、着色層１３は、その幾何光学的な最低の厚さｔｍｉｎが、レンズ部１２の接線Ｔの傾きψ＝４５°となるところのレンズ高さに等しく、レンズ部１２が断面形状が楕円のときは、下記（１）式によって計算することができる。
　ｔ１＝ｂ−ｂ２（ａ２＋ｂ２）１／２　　　　…（１）
　ここで、ａ，ｂは、楕円の横径（短径）と縦径（長径）である。また、このときに、コントラストは最も良好となる。
　　　【００４８】
　円錐係数がｋ＝０．４５（＝ａ２／ｂ２−１）程度、裾部のレンズ角が６０°程度の楕円のレンチキュラーレンズの場合に、ｔ１は、レンチキュラーレンズ形状のピッチの約１／１０の値となる。
　　　【００４９】
　一方、着色層１３がレンズ形状に沿わない形状、例えば、図１１（ａ）に示すような、着色層１３と基材層１５との界面が平面であるような場合であっても、図３（Ａ），（Ｂ）の比較から予想できるように、ボディ着色タイプのものよりも良好なレンチキュラーレンズシート１０Ａが得られる。
　この場合に、着色層１３は、レンズ部１２側に寄せた効果を発揮するために、着色層１３の厚さは、レンチキュラーレンズ形状のピッチ以下、又は、シート厚みの少なくとも１／２以下にするのが好ましい。
　　　【００５０】
（着色層の裾部の厚さ：請求項６）
　図９は、本実施形態に係るレンチキュラーレンズシートの着色層の厚みを示す図である。
　また、着色層１３は、１つのレンズ部１２において、レンズ部１２の頂部の厚さｔ１より裾部の厚さｔ２の方が、その厚さを薄くするのが好ましい（ｔ１＞ｔ２）。
　着色層１３は、均一な厚みに形成すると、レンズ部１２の頂部１２ａから入射した映像光の着色層１３内の光路より、裾部１２ｂに入射した映像光の光路のほうが長くなり、より多く吸収されるからである。その結果として、３０〜４０°に出射する光の強度が小さくなる。
　　　【００５１】
　図１０は、本実施形態に係るレンチキュラーレンズシートの着色層の裾部の厚さを薄くした場合を、均一にした場合と比較して示した光拡散特性図である。
　このレンチキュラーレンズシート１０は、着色層１３の裾部１２ｂでの厚さを薄くすることによって、図１０に示すように、前述した現象（出射光強度の低下）を抑えることができる。
　さらに、着色層１３の厚さは、入射光のパスの長さに応じて形成すれば、レンズ設計通りの光拡散特性が得られて望ましい。
　　　【００５２】
（光拡散層：請求項７，請求項８，請求項９）
　レンチキュラーレンズシート１０は、少なくとも着色層１３に光拡散剤が添加されている。
　この光拡散剤は、ガラスビーズ、有機架橋ポリマー等を用いることができる。この光拡散剤は、レンチキュラーレンズシート１０の成形樹脂に対して、８重量部程度添加され、光源２からの投射光の好適な垂直拡散を行う機能を果たすものである。
　　　【００５３】
　この拡散剤は、レンチキュラーレンズシート１０の全体に混入することもできるが、着色層１３より観察側に光拡散剤があると、外光は、そこで拡散され、一部が着色層１３に達する前に、観察側に返るために、基材層１５の拡散剤は、薄くするのが好ましい。すなわち、着色層１３に混入された拡散剤濃度をＣ１、基材層１５に混入された拡散剤濃度をＣ０としたときに、０≦Ｃ０＜Ｃ１の関係があることが望ましい。
　　　【００５４】
　また、後述する反射防止層、偏光フィルター層、ハードコート層などを、それらの機能を有したフィルムをラミネートして形成する場合には、出光面１４がフラット面であることが好ましい。その場合には、基材層１５に拡散剤を混入しないほうがラミネート形成が容易である。
　　　【００５５】
　また、入光面の着色層１３には、拡散剤を混入せず、中間に拡散剤層（中間層）を形成し、上述した拡散剤によって、反射される光を吸収するための濃度の薄い着色層を観察側に形成することもできる［図１１（ｂ），（ｃ）］。
　　　【００５６】
（出光面：請求項１１，請求項１３）
　レンチキュラーレンズシート１０は、その出光面１４がフラット面又はマット面である。フラット面の場合には、画像のクリア感を得ることができる。着色層１３は、入光面１１近傍に形成されているために、スクリーンの全面に透明なフラットパネルを配置する場合よりも、入光面１１での反射による映り込みが生じないので、好ましい画像が得られる。
　　　【００５７】
　この出光面１４をフラット面にした場合には、反射防止層、低反射層、偏光フィルター層などを設けることができる。この場合、従来の光吸収層のあるレンチキュラーレンズと同等のコントラストを得ることができる。
　また、この出光面１４には、ハードコート層、防眩層、帯電防止層を形成することもできる。
　なお、出光面１４は、マット面にした場合に、アンチグレアーとなり、スクリーン表面に映り込みがない利点がある。
　　　【００５８】
（シート厚：請求項１２）
　このように、本実施形態のレンチキュラーレンズシートは、出光面１４が平面であるため、さまざまな機能性層を形成することができるので、剛性を得るため板厚を１．５ｍｍ以上とすることによって、従来のＢＳのあるレンチキュラーレンズシートを用いるスクリーンで使用される前面板を廃止することができる。
　　　【００５９】
（光源）
　本実施形態のレンチキュラーレンズシート１０は、出光面１４に光軸補正用のレンズを形成していないので、光源２は、ひとつのレンズから映像光を投射するような１レンズタイプ、単管式のプロジェクタと組み合わせて使用することが好ましい。
　また、光源２は、ランプの光をダイクロイックミラーによって光の３原色に分光し、ＬＣＤを透過させて、画像情報を付与し、再度、これらの光を合成して投射するＬＣＤプロジェクタやＤＭＤプロジェクタなどを好適に用いることができる。
　　　【００６０】
（レンチキュラーレンズの製造方法）
　本発明のレンチキュラーレンズシートは、例えば、レンチキュラーレンズの逆形状を有する入光面形状のロール状金型と、フラット又はマット状の表面を有する出光面成型用ロール状金型を平行に配置して、それらの間の入光面側に、着色された樹脂を、出光面側に、透明又は着色層より薄く着色された樹脂（光拡散剤を含んでもよい）を２層押し出しして成形したり、また、同様の金型を使用して、この間に、樹脂を押し出しして成形すると同時に、入光面側の金型に沿うように、着色されたフィルムを導いて、着色フィルムをラミネートすることによって製造することができる。
　また、本発明のレンチキュラーレンズシートは、着色された紫外線硬化樹脂を用いて、レンズ層をフィルム基材上に成形することもできる。
　　　【００６１】
（レンチキュラーレンズの他の実施形態）
　図１１は、本発明によるレンチキュラーレンズシートの他の実施形態を示した図である。
　図１１（ａ）に示すレンチキュラーレンズシート１０Ａは、着色層１３がレンズ形状に沿わない形状の例である。
　このレンチキュラーレンズシート１０Ａは、着色層１３と基材層１５との界面が平面であるような場合であっても、図３（Ａ），（Ｂ）の比較から予想できるように、ボディ着色タイプのものよりも良好なレンチキュラーレンズシートが得られる。また、着色層１３は、レンズ部１２側に寄せた効果を発揮するために、着色層１３の厚さは、レンチキュラーレンズのピッチ以下、又は、シート厚みの少なくとも１／２以下にするのが好ましい。
　　　【００６２】
　図１１（ｂ）に示すレンチキュラーレンズシート１０Ｂは、レンズ部１２に沿って形成された着色層１３と、拡散剤を含まず薄く着色された基材層１５Ｂと、着色層１３と基材層１５Ｂとの間に拡散剤を含む中間層（拡散層）１６とが形成されたのもである。
　　　【００６３】
　図１１（ｃ）に示すレンチキュラーレンズシート１０Ｃは、レンズ部１２に沿って形成された着色層１３と、出光面１４側に設けられ拡散剤を含まず薄く着色された基材層１５Ｂと、拡散剤も含まず着色もされていない基材層１５Ｃと、着色層１３と基材層１５Ｃとの間に拡散剤を含む中間層（拡散層）１６Ｃが形成されたのもである。
　　　【００６４】
　レンチキュラーレンズシート１０Ｂ，１０Ｃによれば、拡散剤、濃度の薄い着色層によって、反射される光を効果的に吸収することができる。
　　　【００６５】
（透過型スクリーンの他の実施形態：請求項１７）
　図１２は、本発明による透過型スクリーンの他の実施形態を示す図である。
　本実施形態のレンチキュラーレンズ１０は、出光側にフレネルレンズが形成されたフレネルレンズシート２０（又はフィルムフレネルレンズシート）と組み合わせて透過型スクリーン１Ａを構成することが、画像の明るさの均一性を高めるために好ましい。
　　　【００６６】
　この実施形態では、レンチキュラーレンズシート１０の観察側に、ディスプレイ用前面板３０を配置したものである。
　　　【００６７】
（ディスプレイ用前面板の実施形態：請求項１４，請求項１５）
　このディスプレイ用前面板３０は、例えば、着色された垂直拡散用のレンチキュラーレンズ３２を入射側の面に有しており、その面で外光や迷光などの不用光を全反射するので、前面板全体に均一な着色を施すよりも良好なコントラストを得ることができる。
　もちろん、このディスプレイ用前面板３０は、反射防止層、低反射層、偏光フィルター層、帯電防止層、防眩処理層、ハードコート処理層などの、さまざまな機能性層を形成するができる。
　　　【００６８】
　　【実施例】
　次に、具体的な実施例をあげて、さらに、詳しく説明する。
（実施例１）
　レンチキュラーレンズシート１０は、耐衝撃性アクリル樹脂（屈折率１．５１）を用いて、レンズ部１２が、ピッチＰ＝０．２ｍｍ、レンズ横径ａ＝０．１２、縦径ｂ＝０．１５ｍｍであって、シート厚ｔ０＝１．０ｍｍ、着色層１３を厚さｔ１＝０．０６ｍｍで形成した。
　　　【００６９】
（実施例２）
　実施例１と同様に形成したレンズ部１２の出光面に、反射防止層を形成した透明フィルムをラミネート成型した。
　　　【００７０】
（比較例１）
　実施例１と同一の形状で、ほぼ等しいスクリーンゲインとなるボディ着色の片面レンチキュラーレンズシートを形成した。
　　　【００７１】
　実施例１及び比較例１のレンチキュラーレンズシートを、平均粒径３０μのアクリルビーズ拡散剤を混入したフレネルレンズシートと組み合わせて、ＬＣＤ光源を使用した背面投射型テレビに、右側に実施例１のレンチキュラーレンズシートを、左側に比較例１のレンチキュラーレンズシートをセットし、蛍光燈の点灯した室内で比較観察したところ、実施例１のスクリーンのほうがコントラストが良好であった。
　　　【００７２】
　続いて、実施例１、実施例２、比較例１、及び、ピッチｐ＝０．７２のＢＳ付きレンチキュラーレンズシート（ＢＳ率４５％）を、平均粒径３０μのアクリルビーズ拡散剤を混入したフレネルレンズシートと組み合わせて、５５０ｎｍにおける透過率と反射率を分光光度計（島津製作所（株）ＵＶ２１００）で測定し、透過率と反射率の比（透過率／反射率）を計算したところ、表１に示すように、実施例１は比較例１の２倍以上、実施例２はＢＳ付きレンチキュラーレンズと同等の値となった。
　　　【００７３】
　【表１】
　　　【００７４】
（実施例３）
　レンチキュラーレンズシート１０は、耐衝撃性アクリル樹脂を用いて、レンズ部１２が、ピッチＰ＝０．４ｍｍ、レンズ横径ａ＝０．１２、縦径ｂ＝０．２８ｍｍであって、シート厚ｔ０＝１．０ｍｍ、着色層１３を厚さｔ１＝０．０６ｍｍ（理想着色層厚さは０．０５６ｍｍ）で形成した。
　このレンチキュラーレンズシートを分光光度計で透過率と反射率を測定したところ、透過率６５％、反射率７．２％、透過反射率比９．０であった。
　比較例として、同一の形状で、着色層厚をｔ１＝０．１０ｍｍで成型したものは、透過率６２％、反射率８．０％、透過反射率比７．８であった。
　　　【００７５】
（実施例４）
　レンチキュラーレンズシート１０は、耐衝撃性アクリル樹脂（屈折率１．５１）を用いて、レンズ部１２が、ピッチＰ＝０．１４ｍｍ、レンズ横径ａ＝０．０７、縦径ｂ＝０．０９ｍｍであって、シート厚ｔ０＝０．９ｍｍ、着色層１３を厚さｔ１＝０．０４ｍｍで形成した。
　サンプル４−１は、基材層には拡散剤を混入せず、着色層にスチレンビーズを７．５重量部混入した。
　サンプル４−２は、基材層にアクリルビーズを０．１重量部、着色層にスチレンビーズを７．０重量部混入した。
　サンプル４−３は、基材層と着色層の両方にスチレンビーズを０．９重量部混入した。
　表２に示したように、基材層の拡散性が小さいほどコントラストは良好な結果となった。
　　　【００７６】
　【表２】
　　　【００７７】
（実施例５）
　請求項１記載のレンチキュラーレンズシートをメタアクリル材料を使用し、二層押し出し法により、板厚を変えて作製し、２ｍｍ厚のフレネルレンズシートと併せ４辺をテープで固定し、セッティングした。
　そして、セッティングした透過型スクリーンを透過型プロジェクションＴＶにセットし、室内灯下で室内灯の映り込みを評価した。
　また、現行使用されているメタアクリル材料による前面板も比較例として同時に評価した。その結果を表３に示す。
　　　【００７８】
　【表３】
　　　【００７９】
　表３に示した通り、板厚が１．５ｍｍ以上のレンチキュラーレンズシートでは、映り込み像の歪みが認識しにくく、外観上良好であった。また、前面板と比較しても同板厚では同じ結果となった。
　　　【００８０】
　　【発明の効果】
　以上詳しく説明したように、本発明によれば、映像光の強度をあまり落とすことなく、外光反射を抑え、コントラストを高めることができ、しかも、ファインピッチ化が可能となった。
【図面の簡単な説明】
　　【図１】
　本発明によるレンチキュラーレンズシート及び透過型スクリーンの実施形態を外光とともに示す図である。
　　【図２】
　本実施形態に係るレンチキュラーレンズによって反射する外光の光線追跡図である。
　　【図３】
　本発明のレンチキュラーレンズシートと従来の片面レンチキュラーレンズシートとを比較して示す図である。
　　【図４】
　従来のＢＳ付きレンチキュラーレンズシートを示す図である。
　　【図５】
　本実施形態のレンチキュラーレンズシートのスクリーン面に対する角度を説明するための図である。
　　【図６】
　光が入射した位置のレンチキュラーレンズシートの傾斜角と光の出射角の関係を示す図である。
　　【図７】
　本実施形態に係るの透過型スクリーンの透過率とコントラストとの関係を示した図である。
　　【図８】
　本実施形態に係るレンチキュラーレンズシートの着色層の厚さの最適値を示した図である。
　　【図９】
　本実施形態に係るレンチキュラーレンズシートの着色層の１レンズ内での厚さを説明する図である。
　　【図１０】
　着色層の厚さを一定にした場合と、変えた場合の光拡散特性図である。
　　【図１１】
　本発明によるレンチキュラーレンズシートの他の実施形態を示す図である。
　　【図１２】
　本発明による透過型スクリーンの他の実施形態を示す図である。
　　【符号の説明】
　１　透過型スクリーン
　２　光源
　１０，１０Ａ，１０Ｂ，１０Ｃ　レンチキュラーレンズシート
　１１　入光面
　１２　レンズ部
　１３　着色層
　１４　出光面
　１５　基材層
　１６　拡散層
　２０　フレネルレンズシート
　３０　ディスプレイ用前面板